(57)【要約】【課題】  予約情報に基づき記憶されるデータが記憶されている位置を通知すること。【解決手段】  ＩＣレコーダは、データを記憶するＥＥＰＲＯＭと、時を定める時刻条件と記憶動作を定める動作条件とを含む予約情報を設定する予約設定部と、動作条件は、ＥＥＰＲＯＭに記憶されるデータを分類するための分類情報を含み、設定された予約情報に含まれる時刻条件が成立する間、動作条件に従ってデータを記録する録音制御部と、設定された予約情報の少なくとも一部を表示する領域１０３〜１０６と、予約情報に含まれる分類情報に関連付けられた関連画像１０３Ａ〜１０６Ａとを、所定の位置関係となるように配置した予約一覧画面１０１を表示する予約一覧表示部と、を備える。【選択図】        図１０
2012133183.tif 000002
【特許請求の範囲】
【請求項１】
データを記憶する記憶手段と、
時を定める時刻条件と記憶動作を定める動作条件とを含む予約情報を設定する予約設定手段と、
前記動作条件は、前記記憶手段に記憶されるデータを分類するための分類情報を含み、
前記設定された予約情報に含まれる前記時刻条件が成立する間、前記動作条件に従ってデータを記憶する録音制御手段と、
前記設定された予約情報の少なくとも一部を表示する領域と、前記予約情報に含まれる分類情報に関連付けられた関連画像とを、所定の位置関係となるように配置した予約一覧画面を表示する予約一覧表示手段と、を備えた記憶装置。
【請求項２】
前記表示された予約一覧画面に配置された前記関連画像が指示されることに応じて、前記指示された関連画像と関連付けられた分類情報に基づくデータを識別するための識別情報を配置した一覧画面を表示する一覧表示手段を、さらに備えた記憶装置。
【請求項３】
データを記憶する記憶手段と、
時を定める時刻条件と記憶動作を定める動作条件とを含む予約情報を複数設定可能な予約設定手段と、
前記動作条件は、前記記憶手段に記憶されるデータを分類するための分類情報を含み、
前記設定された予約情報に含まれる前記時刻条件が成立する間、前記動作条件に従ってデータを記憶する録音制御手段と、
前記複数の予約情報のうちから１つの予約情報を選択する選択手段と、
前記選択手段により１つの予約情報が選択された状態で、所定の操作を受け付けることに応じて、前記選択された予約情報に含まれる分類情報に基づくデータを識別するための識別情報を配置した一覧画面を表示する一覧表示手段と、を備えた録音装置。
【請求項４】
データを記憶する記憶手段を備えた記憶装置で実行される予約選択方法であって、
時を定める時刻条件と記憶動作を定める動作条件とを含む予約情報を設定するステップと、
前記動作条件は、前記記憶手段に記憶されるデータを分類するための分類情報を含み、
前記設定された予約情報に含まれる前記時刻条件が成立する間、前記動作条件に従ってデータを記憶するステップと、
前記設定された予約情報の少なくとも一部を表示する領域と、前記予約情報に含まれる分類情報に関連付けられた関連画像とを、所定の位置関係となるように配置した予約一覧画面を表示するステップと、を含む予約選択方法。
【請求項５】
データを記憶する記憶手段を備えた記憶装置で実行される予約選択方法であって、
時を定める時刻条件と記憶動作を定める動作条件とを含む予約情報を複数設定するステップと、
前記動作条件は、前記記憶手段に記憶されるデータを分類するための分類情報を含み、
前記設定された予約情報に含まれる前記時刻条件が成立する間、前記動作条件に従ってデータを記憶するステップと、
前記複数の予約情報のうちから１つの予約情報を選択するステップと、
前記選択するステップにおいて１つの予約情報が選択された状態で、所定の操作を受け付けることに応じて、前記選択された予約情報に含まれる分類情報に基づくデータを識別するための識別情報を配置した一覧画面を表示するステップと、を含む予約選択方法。
【請求項６】
データを記憶する記憶手段を備えた記憶装置を制御するコンピュータで実行される予約選択プログラムであって、
時を定める時刻条件と記憶動作を定める動作条件とを含む予約情報を設定するステップと、
前記動作条件は、前記記憶手段に記憶されるデータを分類するための分類情報を含み、
前記設定された予約情報に含まれる前記時刻条件が成立する間、前記動作条件に従ってデータを記憶するステップと、
前記設定された予約情報の少なくとも一部を表示する領域と、前記予約情報に含まれる分類情報に関連付けられた関連画像とを、所定の位置関係となるように配置した予約一覧画面を表示するステップと、を前記コンピュータに実行させる予約選択プログラム。
【請求項７】
データを記憶する記憶手段を備えた記憶装置を制御するコンピュータで実行される予約選択プログラムであって、
時を定める時刻条件と記憶動作を定める動作条件とを含む予約情報を複数設定するステップと、
前記動作条件は、前記記憶手段に記憶されるデータを分類するための分類情報を含み、
前記設定された予約情報に含まれる前記時刻条件が成立する間、前記動作条件に従ってデータを記憶するステップと、
前記複数の予約情報のうちから１つの予約情報を選択するステップと、
前記選択するステップにおいて１つの予約情報が選択された状態で、所定の操作を受け付けることに応じて、前記選択された予約情報に含まれる分類情報に基づくデータを識別するための識別情報を配置した一覧画面を表示するステップと、を前記コンピュータに実行させる予約選択プログラム。
【発明の詳細な説明】
【技術分野】
【０００１】
この発明は、記憶装置、予約選択方法および予約択プログラムに関し、特に、予約された時間にデータを記憶する機能を備えた記憶装置、その記憶装置で実行される、予約選択方法および予約選択プログラムに関する。
【背景技術】
【０００２】
ＴＶ番組録画再生装置に録画されたＴＶ番組を検索するとき、ユーザによって「予約リスト」が選択されると、予約リスト内に登録されているＴＶ番組のタイトルをディスプレイ上のタイトル欄に表示し、タイトルが選択されると、選択されたタイトルに対応するＴＶ番組の録画ファイルを、ＨＤＤに録画されたＴＶ番組の録画ファイルの中から検索し、検索されたＴＶ番組の録画ファイルの録画日付をディスプレイに表示するＴＶ番組録音再生装置が知られている（例えば、特許文献１）。
【０００３】
一方、ＩＣレコーダなどの小型の電子機器は、表示画面の表示面積が、テレビジョン装置等に比較して小さい。このため、従来のＴＶ番組録音再生装置のように、いくつもの選択肢を１つの画面に表示することが困難である。また、ＩＣレコーダが受信するＡＭラジオの電波は、アナログの場合が多く、放送電波から番組名等の情報を取得することはできず、ファイル名に番組名等の情報を含めるができない。例えば、ファイル名は、録音された年月日、ラジオのチャンネル番号、時刻等の情報を含むものがある。このため、ファイル名からどの番組を録音したデータであるかを判断するには熟練を有するものであった。
【特許文献１】特開２００９−１１８２２５号公報
【発明の概要】
【発明が解決しようとする課題】
【０００４】
この発明は上述した問題点を解決するためになされたもので、この発明の目的の１つは、予約情報に基づき記録されるデータが記憶されている位置を通知することが可能な記録装置、その予約選択方法および予約選択プログラムを提供することである。
【０００５】
また、この発明の他の目的は、予約情報に基づき記録されるデータを選択する操作を容易にした記録装置、その予約選択方法および予約選択プログラムを提供することである。
【課題を解決するための手段】
【０００６】
上述した目的を達成するためにこの発明のある局面によれば、記憶装置は、データを記憶する記憶手段と、時を定める時刻条件と記憶動作を定める動作条件とを含む予約情報を設定する予約設定手段と、動作条件は、記憶手段に記憶されるデータを分類するための分類情報を含み、設定された予約情報に含まれる時刻条件が成立する間、動作条件に従ってデータを記憶する録音制御手段と、設定された予約情報の少なくとも一部を表示する領域と、予約情報に含まれる分類情報に関連付けられた関連画像とを、所定の位置関係となるように配置した予約一覧画面を表示する予約一覧表示手段と、を備える。
【０００７】
この局面に従えば、設定された予約情報に含まれる時刻条件が成立する間、記憶条件に従ってデータが記録され、設定された予約情報の少なくとも一部と、予約情報に含まれる分類情報に関連付けられた関連画像とを、所定の位置関係となるように配置した予約一覧画面が表示される。このため、予約情報で記憶されるデータが分類される分類情報をユーザに通知することができる。その結果、予約情報に基づき記憶されるデータが記憶されている位置を通知することが可能な記憶装置を提供することができる。
【０００８】
好ましくは、表示された予約一覧画面に配置された関連画像が指示されることに応じて、指示された関連画像と関連付けられた分類情報に基づくデータを識別するための識別情報を配置した一覧画面を表示する一覧表示手段を、さらに備える。
【０００９】
この局面に従えば、関連画像が指示されることに応じて、関連画像と関連付けられた分類情報に基づくデータを識別するための識別情報を配置した一覧画面が表示されるので、データの選択を容易にすることができる。その結果、予約情報に基づき記憶されるデータを選択する操作を容易にした記憶装置を提供することができる。
【００１０】
この発明の他の局面によれば、記憶装置は、データを記憶する記憶手段と、時を定める時刻条件と記憶動作を定める動作条件とを含む予約情報を複数設定可能な予約設定手段と、動作条件は、記憶手段に記憶されるデータを分類するための分類情報を含み、設定された予約情報に含まれる時刻条件が成立する間、動作条件に従ってデータを記憶する録音制御手段と、複数の予約情報のうちから１つの予約情報を選択する選択手段と、選択手段により１つの予約情報が選択された状態で、所定の操作を受け付けることに応じて、選択された予約情報に含まれる分類情報に基づくデータを識別するための識別情報を配置した一覧画面を表示する一覧表示手段と、を備える。
【００１１】
この局面に従えば、予約情報に含まれる時刻条件が成立する間、データが記録され、複数の予約情報のうちから１つが選択された状態で、所定の操作を受け付けることに応じて、選択された予約情報に含まれる分類情報に基づくデータを識別するための識別情報を配置した一覧画面が表示される。このため、予約情報に基づき記憶されるデータを選択する操作を容易にした記憶装置を提供することができる。
【００１２】
好ましくは、複数の予約情報ごとに、該予約情報の少なくとも一部を表示する領域と、複数の記録領域のうち該予約情報に含まれる分類情報に関連付けられた関連画像とを、所定の位置関係となるように配置した予約一覧画面を表示する予約一覧表示手段を、さらに備え、選択手段は、関連画像が指示される操作を所定の操作として受け付ける。
【００１３】
好ましくは、予約情報に含まれる時刻条件は、所定の間隔で複数の時を定める条件を含む。
【００１４】
好ましくは、アナログの放送電波を受信し、音を出力する無線受信手段と、出力される音をデータに変換する変換手段とをさらに備え、録音制御手段は、変換されたデータを記憶する。
【００１５】
この発明の他の局面によれば、予約選択方法は、データを記憶する記憶手段を備えた記憶装置で実行される予約選択方法であって、時を定める時刻条件と記憶動作を定める動作条件とを含む予約情報を設定するステップと、動作条件は、記憶手段に記憶されるデータを分類するための分類情報を含み、設定された予約情報に含まれる時刻条件が成立する間、動作条件に従ってデータを記憶するステップと、設定された予約情報の少なくとも一部を表示する領域と、予約情報に含まれる分類情報に関連付けられた関連画像とを、所定の位置関係となるように配置した予約一覧画面を表示するステップと、を含む。
【００１６】
この局面に従えば、予約情報に基づき記憶されるデータが記憶されている位置を通知することが可能な予約選択方法を提供することができる。
【００１７】
この発明のさらに他の局面によれば、予約設定方法は、データを記憶する記憶手段を備えた記憶装置で実行される予約選択方法であって、時を定める時刻条件と記憶動作を定める動作条件とを含む予約情報を複数設定するステップと、動作条件は、記憶手段に記憶されるデータを分類するための分類情報を含み、設定された予約情報に含まれる時刻条件が成立する間、動作条件に従ってデータを記憶するステップと、複数の予約情報のうちから１つの予約情報を選択するステップと、選択するステップにおいて１つの予約情報が選択された状態で、所定の操作を受け付けることに応じて、選択された予約情報に含まれる分類情報に基づくデータを識別するための識別情報を配置した一覧画面を表示するステップと、を含む。
【００１８】
この発明に従えば、予約情報に基づき記憶されるデータを選択する操作を容易にした予約選択方法を提供することができる。
【００１９】
この発明のさらに他の局面によれば、予約設定プログラムは、データを記憶する記憶手段を備えた記憶装置を制御するコンピュータで実行される予約選択プログラムであって、時を定める時刻条件と記憶動作を定める動作条件とを含む予約情報を設定するステップと、動作条件は、記憶手段に記憶されるデータを分類するための分類情報を含み、設定された予約情報に含まれる時刻条件が成立する間、動作条件に従ってデータを記録するステップと、設定された予約情報の少なくとも一部を表示する領域と、予約情報に含まれる分類情報に関連付けられた関連画像とを、所定の位置関係となるように配置した予約一覧画面を表示するステップと、をコンピュータに実行させる。
【００２０】
この局面に従えば、予約情報に基づき記憶されるデータが記憶されている位置を通知することが可能な予約選択プログラムを提供することができる。
【００２１】
この発明のさらに他の局面によれば、予約選択プログラムは、データを記憶する記憶手段を備えた記憶装置を制御するコンピュータで実行される予約選択プログラムであって、時を定める時刻条件と記憶動作を定める動作条件とを含む予約情報を複数設定するステップと、動作条件は、記憶手段に記憶されるデータを分類するための分類情報を含み、設定された予約情報に含まれる時刻条件が成立する間、動作条件に従ってデータを記憶するステップと、複数の予約情報のうちから１つの予約情報を選択するステップと、選択するステップにおいて１つの予約情報が選択された状態で、所定の操作を受け付けることに応じて、選択された予約情報に含まれる分類情報に基づくデータを識別するための識別情報を配置した一覧画面を表示するステップと、をコンピュータに実行させる予約選択プログラム。
【００２２】
この局面に従えば、予約情報に基づき記憶されるデータを選択する操作を容易にした予約選択プログラムを提供することができる。
【図面の簡単な説明】
【００２３】
【図１】ＩＣレコーダの平面図である。
【図２】ＩＣレコーダのハードウェア構成の概要を示す機能ブロック図である。
【図３】予約情報のデータフォーマットの一例を示す図である。
【図４】ＥＥＰＲＯＭの音データ及び音データに関連する情報を記憶するための記憶領域を説明するための図である。
【図５】フォルダ一覧画面の一例を示す図である。
【図６】音声記憶領域の音一覧表示画面の一例を示す図である。
【図７】フォルダ選択画面の一例を示す図である。
【図８】第１記憶領域の音一覧表示画面の一例を示す図である。
【図９】ＩＣレコーダが備えるＣＰＵが有する機能の一例をＥＥＰＲＯＭに記憶されるデータとともに示すブロック図である。
【図１０】予約一覧画面の一例を示す図である。
【図１１】関連画像が選択された状態の予約一覧画面の一例を示す図である。
【図１２】予約音選択処理の流れの一例を示すフローチャートである。
【図１３】変形例における予約音選択処理の流れの一例を示すフローチャートである。
【発明を実施するための形態】
【００２４】
以下、本発明の実施の形態について図面を参照して説明する。以下の説明では同一の部品には同一の符号を付してある。それらの名称および機能も同じである。したがってそれらについての詳細な説明は繰返さない。
【００２５】
図１は、ＩＣレコーダの平面図である。図１を参照して、ＩＣレコーダ１は、本体部３と、本体部３の表面に配置された液晶表示装置（ＬＣＤ）５５と、本体部３の表面および側面に配置された複数のボタンを含む操作部５とを含む。ユーザは、ＬＣＤ５５に表示された画面を見ながら操作部５を操作することができる。なお、ＬＣＤ５５に代えて、有機ＥＬＤ（Ｅｌｅｃｔｒｏ  Ｌｕｍｉｎｅｓｃｅｎｃｅ  Ｄｉｓｐｌａｙ）等のディスプレイを用いるようにしてもよい。
【００２６】
操作部５は、切換スイッチ１７と、リピートボタン７と、録音ボタン９と、停止ボタン１１と、決定ボタン１３と、コントロールボタン１５と、予約一覧ボタン１２と、リストボタン１９と、を含む。リピートボタン７、録音ボタン９、停止ボタン１１、決定ボタン１３、コントロールボタン１５および予約一覧ボタン１２は、本体部３の表面に配置され、切換スイッチ１７およびリストボタン１９は、本体部３の側面に配置される。コントロールボタン１５は、上ボタン１５Ａと、下ボタン１５Ｂと、右ボタン１５Ｃと、左ボタン１５Ｄとを含む。例えば、ユーザは上ボタン１５Ａ、下ボタン１５Ｂ、左ボタン１５Ｄおよび右ボタン１５Ｃのいずれかを操作することによりＬＣＤ５５に表示されたカーソルを上下左右のいずれかに移動させることができる。具体的には、ユーザが上ボタン１５Ａを押下すれば、カーソルは上方向に移動し、ユーザが下ボタン１５Ｂを押下すれば、カーソルは下方向に移動し、ユーザが左ボタン１５Ｄを押下すれば、カーソルは左方向に移動し、ユーザが右ボタン１５Ｃを押下すれば、カーソルは右方向に移動する。
【００２７】
リピートボタン７と、録音ボタン９と、停止ボタン１１と、決定ボタン１３と、コントロールボタン１５と、予約一覧ボタン１２と、リストボタン１９は、ハードキーであり、通常はＯＦＦであるが、ユーザにより押下されるとＯＮになる。切換スイッチ１７は、スライドスイッチであり、第１の状態と第２の状態とのいずれか一方に状態が切り換わる。ここでは、切換スイッチ１７は、ユーザが音の入力先を定めるパラメータを設定するために用いられる。具体的には、ＩＣレコーダ１は、マイクロホン３３（図２参照）と外部のマイクロホン等が接続されるライン入力端子４９（図２参照）とのいずれか一方から音を入力することが可能であり、切換スイッチ１７がユーザにより第１の状態に切り換えられている間はマイクロホン３３から入力される音を選択するパラメータとして「マイク入力」が入力先を定めるパラメータに設定され、切換スイッチ１７がユーザにより第２の状態に切り換えられている間はライン入力端子４９から入力される音を選択するパラメータとして「ライン入力」が入力先を定めるパラメータに設定される。
【００２８】
図２は、ＩＣレコーダのハードウェア構成の概要を示す機能ブロック図である。図２を参照して、ＩＣレコーダ１は、ＩＣレコーダの全体を制御するための中央演算装置（ＣＰＵ）１１と、それぞれがＣＰＵ２１とバス３７で接続された、コーデック３１と、エンコーダ／デコーダ３５と、ＡＭ／ＦＭチューナ３９と、ＲＡＭ（Ｒａｎｄｏｍ  Ａｃｃｅｓｓ  Ｍｅｍｏｒｙ）４１と、スピーカ４３と、ヘッドホン端子４５と、外部メモリコントローラ４７と、ライン入力端子４９と、シリアルインターフェース（Ｉ／Ｆ）５１と、ＥＥＰＲＯＭ（Ｅｌｅｃｔｒｉｃａｌｌｙ  ＥｒａｓａＢｌｅ  ａｎｄ  ＰｒｏｇｒａｍｍａＢｌｅ  Ｒｅａｄ  Ｏｎｌｙ  Ｍｅｍｏｒｙ）５３と、ＬＣＤ５５と、を含む。
【００２９】
ＲＡＭ４１は、ＣＰＵ２１の作業領域として用いられる。ＥＥＰＲＯＭ５３は、ＣＰＵ２１が実行するプログラム、そのプログラムを実行するためのパラメータ等を記憶するとともに、圧縮された音声信号等を不揮発的に記憶する。ＥＥＰＲＯＭ５３に記憶されるデータの詳細は後述する。外部メモリコントローラ４７は、メモリカード４７Ａが接続される。ＣＰＵ２１は、外部メモリコントローラ４７を介して、それに接続されたメモリカード４７Ａにアクセスが可能である。
【００３０】
ＡＭ／ＦＭチューナ３９は、ラジオチューナであり、アンテナと接続される。ＡＭ／ＦＭチューナ３９は、アンテナが受信した電波から所定の周波数の電波を抽出し、所定の周波数の電波をアナログの音声信号に変換する。そして、音声信号をスピーカ４３およびコーデック３１に出力する。なお、ここではラジオ信号がアナログの場合を例に説明するが、デジタルのラジオ信号を受信するようにしてもよい。この場合には、デジタル信号をエンコーダ／デコーダ３５で復号し、復号された音声信号をコーデック３１でアナログ信号に変換するようにすればよい。
【００３１】
シリアルインターフェース５１は、シリアル通信可能な装置、例えば、パーソナルコンピュータと接続される。ＣＰＵ２１は、シリアルインターフェース５１を介して、それに接続された装置と通信が可能である。ヘッドホン端子４５は、ヘッドホンまたはイヤホン等が接続され、それらにアナログの音声信号を出力する。スピーカ４３は、本体部３のＬＣＤ５５が配置される表面とは逆の裏面に設置され、アナログの音声信号が入力され、音声を出力する。
【００３２】
コーデック３１は、マイクロホン３３が接続され、切換スイッチ１７が第１の状態に切り換えられている間に、録音ボタン９が押下されるとマイクロホン３３からアナログの音声信号が入力され、切換スイッチ１７が第２の状態に切り換えられている間に録音ボタン９が押下されるとライン入力端子４９からアナログの音声信号が入力される。また、コーデック３１は、ＡＭ／ＦＭチューナ３９からアナログの音声信号が入力される。コーデック３１は、入力されるアナログの音声信号をデジタル信号に変換し、所定の処理をした後に、デジタル処理後の音声信号を出力し、ＲＡＭ４１に一旦格納される。
【００３３】
エンコーダ／デコーダ３５は、ＣＰＵ２１により制御され、ＲＡＭ４１に格納されている音声信号を符号化し、音データを生成する。また、エンコーダ／デコーダ３５は、ＣＰＵ２１により制御され、音データを復号し、音声信号を生成する。
【００３４】
ＣＰＵ２１は、コーデック３１から出力される音声信号を、エンコーダ／デコーダ３５に符号化させ、符号化された音データをＥＥＰＲＯＭ５３または外部メモリコントローラ４７に接続されたメモリカード４７Ａに記憶する。
【００３５】
また、ＣＰＵ２１は、ＥＥＰＲＯＭ５３または外部メモリコントローラ４７に接続されたメモリカード４７Ａに記憶された音データを読み出して、エンコーダ／デコーダ３５に復号させ、復号された音声信号をコーデック３１にアナログ信号に変換させ、アナログの音声信号を、スピーカ４３またはヘッドホン端子４５に接続されたヘッドホンに出力する。
【００３６】
本実施の形態におけるＩＣレコーダ１は、予約設定機能およびタイマ録音機能を備えている。予約設定機能は、録音時間（録音開始時刻と録音終了時刻）を定める時刻条件と録音動作を定める動作条件とを含む予約情報を設定する機能であり、タイマ録音機能は、予約情報に含まれる時刻条件が成立する間、動作条件に従って録音する機能である。
【００３７】
図３は、予約情報のデータフォーマットの一例を示す図である。図３を参照して、予約情報は、設定の項目と、繰り返しの項目と、開始時刻の項目と、終了時刻の項目と、録音元の項目と、音質の項目と、録音先の項目と、出力の項目と、を含む。設定の項目は、予約情報として設定された値を有効にするか否かを定める項目であり、予約情報を有効にする場合にＯＮが設定され、予約情報を無効にする場合にＯＦＦが設定される。
【００３８】
繰り返しの項目、開始時刻の項目および終了時刻の項目は、時刻条件を定める項目である。繰り返しの項目は、タイマ録音機能を有効にする日を定める項目であり、毎日有効にする場合に「毎日」が設定され、毎週有効にする場合に「毎週」が設定され、特定の日に有効にする場合に「日付」が設定される。「毎週」が設定される場合には、曜日を特定する値を付加した値が設定される。例えば、タイマ録音機能を有効にする日を毎週月曜日とする場合には「毎週  月」が繰り返しの項目に設定される。
【００３９】
開始時刻の項目は、タイマ録音機能の実行を開始する時刻を定める項目であり、時刻が設定される。終了時刻の項目は、実行しているタイマ録音機能を終了する時刻を定める項目であり、時刻が設定される。
【００４０】
録音元の項目、音質の項目、録音先の項目および出力の項目は、動作条件を定める項目である。録音元の項目は、音源を定める項目であり、チャンネルの名称が設定される。また、チャンネルの名称に代えて、またはそれに加えて無線周波数を設定するようにしてもよい。さらに、無線周波数のみを設定するようにしてもよいし、放送局名を設定するようにしてもよい。音質の項目は、記憶する音データのデータフォーマットを定める項目であり、ＭＰ３（ＭＰＥＧ  Ａｕｄｉｏ  Ｌａｙｅｒ−３）規格で圧縮したデータフォートとする場合に「ＭＰ３」が設定され、パルス符号変調で符号化したデータフォートとする場合に「ＰＣＭ」が設定される。
【００４１】
録音先の項目は、音データを記憶する位置を定める項目であり、ＥＥＰＲＯＭ５３が備える複数の記憶領域のうちのいずれかを識別するための記録領域識別情報が設定される。出力の項目は、タイマ録音機能を実行している最中にスピーカ４３から音源の音を出力するか否かを定める項目であり、音を出力する場合にＯＮが設定され、音を出力しない場合にＯＦＦが設定される。
【００４２】
図４は、ＥＥＰＲＯＭの音データ及び音データに関連する情報を記憶するための記憶領域を説明するための図である。図４を参照して、ＥＥＰＲＯＭ５３は、予約情報を記憶する領域５３Ａと、予約録音領域５３Ｂと、音声記憶領域５３Ｃと、外部音源記憶領域５３Ｄと、その他の領域５３Ｅと、を含む。予約録音領域５３Ｂは、予約情報に従って録音された音データを記憶するための領域であり、第１〜第Ｎ記憶領域を含む。第１〜第Ｎ記憶領域は、予めＥＥＰＲＯＭ５３に生成される。ただし、Ｎは２以上の正の整数である。ここでは、Ｎを２０としている。その他の領域５３Ｅは、プログラムなどが格納される。
【００４３】
第１〜第Ｎ記憶領域を識別するための情報は、ＥＥＰＲＯＭ５３に記憶される音データを分類するための分類情報である。なお、図４に示すＥＥＰＲＯＭ５３の記憶領域は、物理的なアドレスで区切るようにしてもよいが、ファイル管理システムによって論理的に区切るようにしてもよい。ファイル管理システムによってＥＥＰＲＯＭ５３を管理する場合、ＥＥＰＲＯＭ３５にランダムに記憶される音データに、その音データが第１〜第Ｎ記憶領域のいずれに分類されているかを示す分類情報が付与される。管理テーブルによって音データを識別するための識別情報と分類情報とを関連付けるようにしてもよいし、分類情報を音データを識別するための識別情報の一部に含めるようにしてもよい。  音声記憶領域５３Ｃは、予めＥＥＰＲＯＭ５３に生成されており、マイクロホン３３から出力される音を変換した音データが記憶される領域である。外部音源記憶領域５３Ｄは、予めＥＥＰＲＯＭ５３に生成され、ライン入力端子４９から入力される音データが記憶される領域である。
【００４４】
音データは、ＥＥＰＲＯＭ５３の予約録音領域５３Ｂ、音声記憶領域５３Ｃおよび外部音源記憶領域５３Ｄのいずれかに分類して記憶される。音データは、音源の違い、または、予約情報に従って録音された音データであるか否かによって、分類される。ＥＥＰＲＯＭ５３の予約録音領域５３Ｂ、音声記憶領域５３Ｃおよび外部音源記憶領域５３Ｄのいずれかに分類して記憶されるので、ユーザは、予約録音領域５３Ｂ、音声記憶領域５３Ｃおよび外部音源記憶領域５３Ｄのいずれかを指定する操作をすれば、指定した領域に記憶された音データの音識別情報（ファイル名）を一覧表示するフォルダ画面が表示されるので、一覧表示された音識別情報のうちから1つを指定することにより、音データを再生することができる。
【００４５】
ＣＰＵ２１１は、操作部５が備えるリストボタン１９が押下されたことを検出すると、フォルダ一覧画面をＬＣＤ５５に表示する。フォルダ一覧画面は、ＥＥＰＲＯＭ５３が有する複数の領域それぞれの領域識別情報（フォルダ名）を選択可能に表示する画面である。
【００４６】
図５は、フォルダ一覧画面の一例を示す図である。図５を参照して、フォルダ一覧画面は、予約録音領域５３Ｂの領域識別情報「ＴＩＭＥＲ」と、音声記憶領域５３Ｃの領域識別情報「ＶＯＩＣＥ」と、外部音源記憶領域５３Ｄの領域識別情報「ＬＩＮＥ」と、を含む。「ＴＩＭＥＲ」が反転表示されていることをハッチングで示している。「ＴＩＭＥＲ」が反転表示される状態は、予約録音領域５３Ｂが選択された状態であることを示している。フォルダ一覧画面は、操作部５が備える上ボタン１５Ａまたは下ボタン１５Ｂのいずれかがユーザにより押下されたことを検出すると、予約録音領域５３Ｂと、音声記憶領域５３Ｃと、外部音源記憶領域５３Ｄのうち処理対象として選択する記憶領域を切り換える。
【００４７】
ＣＰＵ２１は、フォルダ画面がＬＣＤ３５に表示された状態で、操作部５の備える決定ボタン１３がユーザにより押下されたことを検出すると、処理対象として音声記憶領域５３Ｃまたは外部音源記憶領域５３Ｄが選択されている場合、処理対象として選択されている記憶領域に記憶されている音データの音識別情報をリスト表示する音一覧表示画面をＬＣＤ５５に表示する。
【００４８】
図６は、音声記憶領域の音一覧表示画面の一例を示す図である。音声記憶領域の音一覧表示画面は、音声記憶領域の領域識別情報「ＶＯＩＣＥ」の下方に３つの音識別情報が選択可能に表示される。ここでは、第１番目の音識別情報「０９２２Ｖ２０４３．ＭＰ３」が選択されて反転表示されている状態を、ハッチングで示している。この状態で、決定ボタン１３が押下されると、選択されている音識別情報「０９２２Ｖ２０４３．ＭＰ３」の音データが再生される。
【００４９】
ＣＰＵ２１は、フォルダ画面がＬＣＤ３５に表示された状態で、操作部５が備える決定ボタン１３がユーザにより押下されたことを検出すると、処理対象として予約録音領域５３Ｂが選択されている場合、処理対象として選択されている予約録音領域５３Ｂに含まれる第１〜第Ｎ記憶領域の領域識別情報をリスト表示するフォルダ選択画面をＬＣＤ５５に表示する。
【００５０】
図７は、フォルダ選択画面の一例を示す図である。図７を参照して、フォルダ選択画面は、予約録音領域５３Ｂの領域識別情報「ＴＩＭＥＲ」の下方に３つの第１〜第３記憶領域の領域識別情報「Ｔ１」，「Ｔ２」，「Ｔ３」が選択可能に表示される。ここでは、第１記憶領域の領域識別情報「Ｔ１」が選択されて反転表示されている状態を、ハッチングで示している。この状態で、決定ボタン１３が押下されると、選択されている第１記憶領域に記憶されている音データの音識別情報をリスト表示する音一覧表示画面をＬＣＤ５５に表示する。
【００５１】
図８は、第１記憶領域の音一覧表示画面の一例を示す図である。図８を参照して、音一覧画面は、第１記憶領域の領域識別情報「Ｔ１」の下に３つの音データそれぞれの音識別情報を配置する。音識別情報は、左から第１番目〜第６番目の６文字で年月日を示す。音識別情報の第７番目〜第１１番目の５文字は録音元を示す。第７番目の１文字は「Ａ」がＡＭ放送を示し、「Ｆ」がＦＭ放送を示す。第８番目〜第１１番目の４文字は周波数を示す。
【００５２】
このため、第１記憶領域に記憶された音データを再生させるためには、ユーザは、待機画面からリストボタン１９を押下して、図５に示したフォルダ一覧画面をＬＣＤ５５に表示させ、上ボタン１５Ａまたは下ボタン１５Ｂにより記憶領域を選択した後、決定ボタン１３を押下して図７に示したフォルダ選択画面をＬＣＤ５５に表示させ、上ボタン１５Ａまたは下ボタン１５Ｂにより記憶領域を選択した後、決定ボタン１３を押下して、図８に示した音一覧表示画面をＬＣＤ５５に表示させ、上ボタン１５Ａまたは下ボタン１５Ｂにより音識別情報を選択した後、決定ボタン１３を押下する必要がある。
【００５３】
図９は、ＩＣレコーダが備えるＣＰＵが有する機能の一例をＥＥＰＲＯＭに記憶されるデータとともに示すブロック図である。図９に示す機能は、ＣＰＵ２１が、ＥＥＰＲＯＭ５３、またはメモリカード４７Ａに記憶された予約音選択プログラムを実行することにより、ＣＰＵ２１に形成される機能である。
【００５４】
図９を参照して、ＣＰＵ２１は、予約情報を設定する予約設定部６１と、音データをＥＥＰＲＯＭ５３に記憶する録音制御部６３と、ＬＣＤ５５を制御する表示制御部６５と、を含む。本実施の形態におけるＩＣレコーダ１は、Ｎ個の予約情報を設定可能としている。Ｎ個の予約情報は、デフォルト値が設定されており、ユーザにより設定された値に、予約設定部６１によって変更される。Ｎ個の予約情報は、デフォルトでは、ＥＥＰＲＯＭ５３が備えるＮ個の第１〜第Ｎ記憶領域にそれぞれ対応する。第ｎ番目の予約情報の出力先の項目には、第ｎ記憶領域の領域識別情報が設定される。ただし、ｎは、１以上Ｎ以下の整数。
【００５５】
表示制御部６５は、予約一覧表示部６７と、音一覧表示部６９と、を含む。予約一覧表示部６７は、操作部５が備える予約一覧ボタン１２がユーザにより押下されたことを検出すると、ＥＥＰＲＯＭ３５の領域５３Ａに記憶された第１〜第Ｎ予約情報を読出し、予約一覧画面を生成し、生成された予約一覧画面をＬＣＤ５５に表示する。予約一覧画面は、予約情報の少なくとも一部を表示する領域と関連画像とを、所定の位置関係となるように配置した画面である。関連画像は、第１〜第Ｎ記録領域のうち予約情報に含まれる録音先の項目に設定された記憶領域識別情報で特定される記憶領域に関連付けられた画像である。換言すれば、予約一覧画面は、第１〜第Ｎ予約情報ごとに、第ｎ予約情報の少なくとも一部を表示する領域と、第１〜第Ｎ記録領域のうち第ｎ予約情報に含まれる録音先の項目に設定された領域識別情報で特定される記憶領域に関連付けられた関連画像とを、所定の位置関係で配置した画面である。ただし、ｎは、１以上Ｎ以下の整数。所定の位置関係は、例えば、予約情報の少なくとも一部を表示する領域と関連画像とが、所定の方向、例えば、水平方向に並ぶ関係である。予約一覧画面に表示される予約情報の一部は、設定の項目および開始時刻の項目それぞれの設定値である。
【００５６】
図１０は、予約一覧画面の一例を示す図である。図１０に示す予約一覧画面１０１は、第１〜第４予約情報それぞれの一部を表示する領域１０３〜１０６を含む。予約一覧画面をスクロール表示させることにより、第５〜第Ｎ予約情報それぞれの一部を表示させることができる。領域１０３〜１０６それぞれは、第１〜第４予約情報を識別することが可能な情報を少なくとも含み、例えば、繰り返しの項目と開始時刻の項目とにそれぞれ設定された値を少なくとも含む。
【００５７】
また、予約一覧画面１０１には、第１〜第４予約情報の一部を表示する領域１０３，１０４，１０５，１０６に、それぞれ対応して、関連画像１０３Ａ，１０４Ａ，１０５Ａ，１０６Ａが配置される。領域１０３，１０４，１０５，１０６と、関連画像１０３Ａ，１０４Ａ，１０５Ａ，１０６Ａとが配置される位置関係は、予め定められている。例えば、上下方向に並んで配置されてもよいし、左右方向に並んで配置されてもよい。並んで配置とは、２つの領域が間に空欄のみを挟んで配置されることをいう。ここでは、第１〜第４予約情報それぞれの一部を表示する領域１０３，１０４，１０５，１０６の右側に、関連画像１０３Ａ，１０４Ａ，１０５Ａ，１０６Ａがそれぞれ配置される。
【００５８】
関連画像１０３Ａは、第１予約情報の出力先の項目に設定された領域識別情報で特定される記憶領域に対応する画像であり、ここでは、第１記憶領域を識別するための画像である。関連画像１０４Ａは、第２予約情報の出力先の項目に設定された領域識別情報で特定される記憶領域に対応する画像であり、ここでは、第２記憶領域を識別するための画像である。関連画像１０５Ａは、第３予約情報の出力先の項目に設定された領域識別情報で特定される記憶領域に対応する画像であり、ここでは、第３記憶領域を識別するための画像である。関連画像１０６Ａは、第４予約情報の出力先の項目に設定された領域識別情報で特定される記憶領域に対応する画像であり、ここでは、第４記憶領域を識別するための画像である。
【００５９】
図１０では、第１予約情報の一部を表示する領域１０３が反転表示されていることをハッチングで示している。領域１０３が反転表示される状態は、第１予約情報が選択された状態であることを示している。予約一覧表示部６７は、操作部５が備える上ボタン１５Ａまたは下ボタン１５Ｂのいずれかがユーザにより押下されたことを検出すると、Ｎ個の予約情報のうち処理対象として選択する予約情報を切り換える。
【００６０】
図９に戻って、予約設定部６１は、ユーザが入力する予約情報を受け付け、受け付けられた予約情報をＥＥＰＲＯＭ５３の予め定められた領域に記憶する。具体的には、予約設定部６１は、予約一覧画面がＬＣＤ３５に表示された状態で、操作部５が備える決定ボタン１３がユーザにより押下されたことを検出すると、ＬＣＤ５５に予約設定画面を表示する。予約設定画面は、予約一覧画面で処理対象として選択された予約情報の各項目の値を設定するための画面である。予約設定部６１は、ＥＥＰＲＯＭ３５に記憶されているＮ個の予約情報のうちから、決定ボタン１３がユーザにより押下された時点で、予約一覧画面において処理対象として選択されている予約情報をＥＥＰＲＯＭ５３から読み出し、予約情報の各項目と、それぞれの項目に設定されている値とを表示する。予約設定部６１は、予約設定画面が表示されている状態で、操作部５が備える上ボタン１５Ａまたは下ボタン１５Ｂのいずれかがユーザにより押下されたことを検出すると、予約情報に含まれる複数の項目のうちから処理対象となる項目を変更し、操作部５が備える上ボタン１５Ａまたは下ボタン１５Ｂのいずれかがユーザにより押下されたことを検出すると、処理対象に選択されている項目の値を変更する。さらに、予約設定部６１は、予約設定画面が表示されている状態で、操作部５が備える決定ボタン１３がユーザにより押下されたことを検出すると、予約設定画面で値が変更された予約情報で、ＥＥＰＲＯＭ３５に記憶されている予約情報を書き換える。
【００６１】
録音制御部６３は、ＡＭ／ＦＭチューナ３９、コーデック３１およびエンコーダ／デコーダ３５を制御し、予約情報に従ってＡＭ／ＦＭチューナ３９が出力するアナログの音を、デジタル信号に変換し、音データをＥＥＰＲＯＭ３５に記憶する。
【００６２】
具体的には、録音制御部６３は、ＥＥＰＲＯＭ３５に記憶されている第１〜第Ｎ予約情報それぞれの時刻条件を、現在の年月日および時刻と比較し、時刻条件の繰り返しの項目と開始時刻の項目とで定まる日時が現在の日時と一致する予約情報を特定する。録音制御部６３は、現在の日時と時刻条件の繰り返しの項目と開始時刻の項目とで定まる日時とが一致する予約情報を特定する場合、特定された予約情報において、時刻条件が成立したと判断する。
【００６３】
そして、録音制御部６３は、特定された予約情報に含まれる動作条件に従って、音データをＥＥＰＲＯＭ３５に記憶する。具体的には、録音制御部６３は、ＡＭ／ＦＭチューナ３９に動作条件の録音元の項目に設定されているチャンネルの周波数の電波を抽出させ、抽出された電波をアナログの音声信号に変換させ、音声信号をコーデック３１に出力させる。さらに、録音制御部６３は、コーデック３１に、音質の項目に設定されているデータフォーマットに従って、ＡＭ／ＦＭチューナ３９が出力するアナログの音声信号をデジタルの音データに変換させ、必要に応じてエンコーダ／デコーダ３５に音データを圧縮させる。そして、録音制御部６３は、時刻条件の繰り返しの項目と開始時刻の項目とで定まる日時から時刻条件の繰り返しの項目と終了時刻の項目とで定まる日時までの間、ＥＥＰＲＯＭ３５の第１〜第Ｎ記憶領域のうち録音先の項目に設定されている記憶領域識別情報で特定される記憶領域に、音データを記憶する。また、出力の項目がＯＮに設定されている場合には、ＡＭ／ＦＭチューナ３９が出力するアナログの音をスピーカ４３から出力させる。
【００６４】
予約一覧表示部６７は、予約一覧画面がＬＣＤ３５に表示された状態で、操作部５が備える右ボタン１５Ｃがユーザにより押下されたことを検出すると、領域識別情報を選択する。具体的には、図１０を参照して、第１予約情報が選択され、第１予約情報の一部を表示する領域１０３が反転表示されている。予約一覧表示部６７は、第１予約情報の一部１０３が反転表示されている状態で、操作部５が備える右ボタン１５Ｃがユーザにより押下されたことを検出すると、第１予約情報の一部を表示する領域１０３の右側に配置された関連画像１０３Ａを選択し、反転表示する。
【００６５】
図１１は、関連画像が選択された状態の予約一覧画面の一例を示す図である。図１１を参照して、関連画像１０３Ａは、第１予約情報の出力先の項目に設定された領域識別情報で特定される記憶領域、ここでは第１記憶領域に対応する画像である。したがって、関連画像１０３Ａの選択は、第１記録領域を識別するための領域識別情報の選択に等しい。
【００６６】
図９に戻って、予約一覧表示部６７は、選択された領域識別情報を音一覧表示部６９に出力する。音一覧表示部６９は、領域識別情報が入力されると、第１〜第Ｎ記憶領域のうちから領域識別情報で特定される記憶領域に記憶されている音データを識別するための音識別情報を配置した音一覧画面を表示する。
【００６７】
図１２は、予約音選択処理の流れの一例を示すフローチャートである。図１２に示す機能は、ＣＰＵ２１が、ＥＥＰＲＯＭ５３、またはメモリカード４７Ａに記憶された予約音選択プログラムを実行することにより、ＣＰＵ２１により実行される処理である。図１２を参照して、ＣＰＵ２１は、予約一覧ボタン１２の押下が検出されたか否かを判断する。操作部５が備える予約一覧ボタン１２の押下が検出されるまで待機状態となり（ステップＳ０１でＮＯ）、予約一覧ボタン１２の押下が検出されると（ステップＳ０１でＹＥＳ）、処理をステップＳ０２に進める。
【００６８】
ステップＳ０２においては、ＥＥＰＲＯＭ５３に記憶されている予約情報を読み出し、予約情報に基づいて予約一覧画面を生成し、予約一覧画面をＬＣＤ５５に表示する。そして、最初の予約情報を処理対象に選択する（ステップＳ０３）。次に、予約一覧画面中で選択された予約情報の部分を反転表示する（ステップＳ０４）。
【００６９】
次のステップＳ０５においては、操作部５が備える停止ボタン１１の押下が検出されたか否かを判断する。停止ボタン１１の押下が検出されたならば処理をステップＳ２１に進めるが、そうでなければ処理をステップＳ０６に進める。ステップＳ２１においては、待機画面をＬＣＤ５５に表示し、処理を終了する。
【００７０】
ステップＳ０６においては、操作部５が備える右ボタン１５Ｃの押下が検出されたか否かを判断する。右ボタン１５Ｃの押下が検出されたならば処理をステップＳ０７に進めるが、そうでなければ処理をステップＳ１９に進める。ステップＳ０７においては、予約一覧画面において選択されている予約情報の右側に配置された関連画像を選択し、反転表示し、処理をステップＳ０８に進める。
【００７１】
ステップＳ０８においては、操作部５が備える決定ボタン１３の押下が検出されたか否かを判断する。決定ボタン１３の押下が検出されたならば処理をステップＳ０９に進めるが、そうでなければ処理をステップＳ１９に進める。
【００７２】
ステップＳ１９においては、操作部５が備える上ボタン１５Ａおよび下ボタン１５Ｂいずれかの押下が検出されたか否かを判断する。上ボタン１５Ａおよび下ボタン１５Ｂいずれかの押下が検出されたならば処理をステップＳ２０に進めるが、そうでなければ処理をステップＳ０４に戻す。ステップＳ２０においては、処理対象を、別の予約情報に切り換え、処理をステップＳ０４に戻す。上ボタン１５Ａが押下された場合は、音一覧表示画面において、選択されている音識別情報の上に配置された音識別情報に処理対象を切り換え、下ボタン１５Ｂが押下された場合は、音一覧表示画面において、選択されている音識別情報の下に配置された音識別情報に処理対象を切り換える。
【００７３】
ステップＳ０９においては、ＥＥＰＲＯＭ５３が有する第１〜第Ｎ記憶領域のうち、ステップＳ０７において選択された関連画像に対応する領域識別情報で識別される記憶領域を特定する。そして、音一覧画面をＬＣＤ５５に表示する。ＥＥＰＲＯＭ５５の特定された記憶領域に記憶されているすべての音データの音識別情報を並べて配置した予約一覧画面を生成し、生成された音一覧画面を表示する。
【００７４】
次のステップＳ１１においては、音一覧画面に配置された少なくとも１つの音識別情報のうちから１つを選択する。録音日時が最後の音データの音識別情報を選択するようにしてもよい。次のステップＳ１２においては、音一覧画面において、選択された音識別情報を反転表示し、処理をステップＳ１３に進める。
【００７５】
ステップＳ１３においては、操作部５が備える停止ボタン１１の押下が検出されたか否かを判断する。停止ボタン１１の押下が検出されたならば処理をステップＳ１９に進めるが、そうでなければ処理をステップＳ１４に進める。ステップＳ１９においては、待機画面をＬＣＤ５５に表示し、処理を終了する。
【００７６】
ステップＳ１４においては、操作部５が備える決定ボタン１３の押下が検出されたか否かを判断する。決定ボタン１３の押下が検出されたならば処理をステップＳ１５に進めるが、そうでなければ処理をステップＳ１７に進める。ステップＳ１５においては、ステップＳ１１において選択された音識別情報で特定される音データを再生する。次のステップＳ１６においては、音データの再生が終了したか否かを判断する、音データの再生が終了したならば処理をステップＳ１９に進めるが、そうでなければ処理をステップＳ１５に戻す。
【００７７】
ステップＳ１７においては、操作部５が備える上ボタン１５Ａ下ボタン１５Ｂいずれかの押下が検出されたか否かを判断する。上ボタン１５Ａおよび下ボタン１５Ｂいずれかの押下が検出されたならば処理をステップＳ１８に進めるが、そうでなければ処理をステップＳ１２に戻す。ステップＳ１８においては、処理対象を、別の音識別情報に切り換え、処理をステップＳ１２に戻す。上ボタン１５Ａが押下された場合は、音一覧表示画面において、選択されている音識別情報の上に配置された音識別情報に処理対象を切り換え、下ボタン１５Ｂが押下された場合は、音一覧表示画面において、選択されている音識別情報の下に配置された音識別情報に処理対象を切り換える。
【００７８】
＜変形例＞
上述したＩＣレコーダ１は、予約一覧画面１０１に、予約情報と、その右に予約情報に含まれる出力先の項目に設定された領域識別情報に対応する画像と、を含むようにしたが、変形例におけるＩＣレコーダ１は、予約一覧画面１０１に、予約情報のみを表示する点で異なる。
【００７９】
この場合、予約一覧表示部６７は、予約一覧画面がＬＣＤ３５に表示された状態で、予め定められた所定の操作を検出すると、選択されている予約情報に含まれる出力先の項目に設定された領域識別情報を、音一覧表示部６９に出力する。ここでは、予め定められた所定の操作を、操作部５が備えるリストボタン１９がユーザにより押下する操作とする。
【００８０】
音一覧表示部６９は、領域識別情報が入力されると、第１〜第Ｎ記憶領域のうちから領域識別情報で特定される領域に記憶されている音データを識別するための音識別情報を配置した音一覧画面を表示する。
【００８１】
図１３は、変形例における予約音選択処理の流れの一例を示すフローチャートである。図１３に示した予約音選択処理と異なる点は、ステップＳ０６〜ステップＳ０８に代えて、ステップＳ３１が実行される点、ステップＳ０９がステップＳ０９Ａに変更された点である。その他の処理は図１２に示したのでここでは異なる点を主に説明する。
【００８２】
ステップＳ０５において、ユーザによる停止ボタン１１の押下が検出されなければ、ステップＳ３１において、操作部５が備えるリストボタン１９の押下が検出されたか否かを判断する。リストボタン１９の押下が検出されたならば処理をステップＳ０９Ａに進めるが、そうでなければ処理をステップＳ１９に進める。
【００８３】
ステップＳ０９Ａにおいては、ステップＳ０４またはステップＳ２０において、処理対象に選択された予約情報に含まれる出力先の項目に設定された領域識別情報で識別される記憶領域を特定する。そして、音一覧画面をＬＣＤ５５に表示する。ＥＥＰＲＯＭ５５の特定された記憶領域に記憶されているすべての音データの音識別情報を並べて配置した予約一覧画面を生成し、生成された音一覧画面を表示する。
【００８４】
以上説明したように、本実施の形態におけるＩＣレコーダ１は、設定された予約情報に含まれる時刻条件が成立する間、動作条件に従って第１〜第Ｎ記憶領域のいずれかに音データを記録する。そして、予約情報の少なくとも一部を含む領域の右に関連画像を配置した予約一覧画面を表示する。ユーザに対して、予約一覧画面を表示することにより、予約情報で録音される音データが、第１〜第Ｎ記憶領域のいずれに記憶されるかを通知することができる。
【００８５】
また、予約一覧画面に配置された関連画像が指示されることに応じて、第１〜第Ｎ記憶領域のうち指示された関連画像と関連付けられた記憶領域に記憶されている音データを識別するための音識別情報を配置した音一覧画面を表示する。このため、音データの選択を容易にすることができる。
【００８６】
また、変形例におけるＩＣレコーダ１は，予約情報の少なくとも一部を含む領域を含む予約一覧画面を表示し、Ｎ個の予約情報のうちから１つが選択された状態で、リストボタン１９が押下されることに応じて、選択された予約情報に含まれる録音先情報で特定される記憶領域に記憶されている音データを識別するための音識別情報を配置した音一覧画面を表示する。このため、ユーザは、予約情報から、その予約情報に基づき録音される音データを容易に選択することができる。
【００８７】
なお上述した実施の形態においては、ＩＣレコーダ１について説明したが、図１２または図１３に示した処理をＩＣレコーダ１に実行させる予約音選択方法、および、予約音選択方法をＩＣレコーダ１を制御するＣＰＵ２１に実行させる予約音選択プログラムとして発明を捉えることができるのは言うまでもない。
【００８８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８９】
１  ＩＣレコーダ、３  本体部、５  操作部、７  リピートボタン、９  録音ボタン、１１  停止ボタン、１２  予約一覧ボタン、１３  決定ボタン、１５  コントロールボタン、１５Ａ  上ボタン、１５Ｂ  下ボタン、１５Ｃ  右ボタン、１５Ｄ  左ボタン、１７  切換スイッチ、１９  リストボタン、２１  ＣＰＵ、３１  コーデック、３３  マイクロホン、３５  エンコーダ／デコーダ、３７  バス、３９  ＡＭ／ＦＭチューナ、４１  ＲＡＭ、４３  スピーカ、４５  ヘッドホン端子、４７  外部メモリコントローラ、４７Ａ  メモリカード、４９  ライン入力端子、５１  シリアルインターフェース、５３  ＥＥＰＲＯＭ、５５  ＬＣＤ、６１  予約設定部、６３  録音制御部、６５  表示制御部、６７  予約一覧表示部、６９  音一覧表示部。
【図１】
2012133183.tif 000003
【図２】
2012133183.tif 000004
【図３】
2012133183.tif 000005
【図４】
2012133183.tif 000006
【図５】
2012133183.tif 000007
【図６】
2012133183.tif 000008
【図７】
2012133183.tif 000009
【図８】
2012133183.tif 000010
【図９】
2012133183.tif 000011
【図１０】
2012133183.tif 000012
【図１１】
2012133183.tif 000013
【図１２】
2012133183.tif 000014
【図１３】
2012133183.tif 000015